(57)【要約】【課題】広い波長帯域でＷＤＭ伝送方式が可能である光ファイバを提供する。【解決手段】この光ファイバは、波長１５５０ｎｍにおける分散が１０．０ｐｓ／ｎｍ／ｋｍ以上１５．０ｐｓ／ｎｍ／ｋｍ以下であり、かつ、モードフィールド径が８．０μｍ以上１０．０μｍ以下になっていて、クラッド領域５より高屈折率である少なくとも１つのコア領域を有し、そのコア領域のうち、最も中心に位置する領域１の比屈折率差が０．４％以上０．６％以下になっている。【選択図】　　　図１
2004077663.tif 000002
【特許請求の範囲】
【請求項１】
波長１５５０ｎｍにおける分散が１０．０ｐｓ／ｎｍ／ｋｍ以上１５．０ｐｓ／ｎｍ／ｋｍ以下であり、かつ、モードフィールド径が８．０μｍ以上１０．０μｍ以下であることを特徴とする光ファイバ。
【請求項２】
波長１５５０ｎｍにおける分散スロープが０．０５ｐｓ／ｎｍ２／ｋｍ以上０．０７ｐｓ／ｎｍ２／ｋｍ以下である請求項１の光ファイバ。
【請求項３】
直径２０ｍｍで曲げたときの波長１５５０ｎｍにおける曲げ損失が１０ｄＢ以下である請求項１または２の光ファイバ。
【請求項４】
波長１３００ｎｍにおける分散が−１０．０ｐｓ／ｎｍ／ｋｍ以上０ｐｓ／ｎｍ／ｋｍ以下であり、かつ、モードフィールド径が７．０μｍ以上９．０μｍ以下であることを特徴とする光ファイバ。
【請求項５】
波長１５５０ｎｍにおける分散とモードフィールド径が、それぞれ、１０．０ｐｓ／ｎｍ／ｋｍ以上１５．０ｐｓ／ｎｍ／ｋｍ以下、８．０μｍ以上１０．０μｍ以下であり、かつ、波長１３００ｎｍにおける分散とモードフィールド径が、それぞれ、−１０．０ｐｓ／ｎｍ／ｋｍ以上０ｐｓ／ｎｍ／ｋｍ以下、７．０μｍ以上９．０μｍ以下であることを特徴とする光ファイバ。
【請求項６】
波長１５５０ｎｍにおける分散スロープが０．０５ｐｓ／ｎｍ２／ｋｍ以上０．０７ｐｓ／ｎｍ２／ｋｍ以下である請求項５の光ファイバ。
【請求項７】
直径２０ｍｍで曲げたときの波長１５５０ｎｍにおける曲げ損失が１０ｄＢ／ｍ以下である請求項５または６の光ファイバ。
【請求項８】
波長１６２０ｎｍにおける分散が１３．０ｐｓ／ｎｍ／ｋｍ以上２０．０ｐｓ／ｎｍ／ｋｍ以下である請求項１乃至７のいずれかの光ファイバ。
【請求項９】
１３７５〜１３９５ｎｍの波長帯域における損失が０．５ｄＢ／ｋｍ以下である請求項１乃至８のいずれかの光ファイバ。
【請求項１０】
カットオフ波長が１５００ｎｍ以下である請求項１乃至９のいずれかの光ファイバ。
【請求項１１】
クラッド領域より高屈折率である少なくとも１つのコア領域を有し、前記コア領域のうち、最も中心に位置する領域の、前記クラッド領域に対する比屈折率差が０．４％以上０．６％以下である請求項１乃至１０のいずれかの光ファイバ。
【請求項１２】
最も中心部に位置する前記領域の屈折率分布パラメータ（α）が、２以上でかつ無限大より小さい値である請求項１１の光ファイバ。
【請求項１３】
請求項１乃至１２のいずれかの光ファイバを含む光伝送路に、１４００ｎｍ以上１６００ｎｍ以下の波長帯域で負の分散と負の分散スロープとを有する分散補償ファイバが接続されていることを特徴とする光伝送システム。
【発明の詳細な説明】
【０００１】
【発明の属する技術分野】
本発明は光通信システムの構築に用いられる光ファイバとそれを用いた光伝送システムに関し、更に詳しくは、断面の屈折率分布プロファイルが簡素であり、したがって製造も簡単であるにもかかわらず、波長分割多重（ＷＤＭ）伝送方式の光伝送システムの構築に用いて好適な光ファイバとそれを用いた光伝送システムに関する。
【０００２】
【従来の技術】
情報化社会の発展により、通信情報量は飛躍的に増大する傾向にあり、そのことに伴って、光伝送方式では伝送容量を増大させるための研究が行われている。その場合、光伝送路である光ファイバは、使用波長において、その光信号をシングルモードで伝送できることが必要とされる。複数モードが光ファイバ内を伝搬すると、各伝搬モードごとの群速度の差により不可避にモード分散が起こり、信号波形の劣化を招くからである。
【０００３】
このようなことから、まず、波長１３００ｎｍ付近に雰分散波長を有するシングルモードファイバ（Ｓｉｎｇｌｅ　Ｍｏｄｅ　Ｆｉｂｅｒ：ＳＭＦ）が光伝送路として使用された。このＳＭＦを用いると、波長１３００ｎｍ付近では、伝送距離を１００ｋｍ以上にすることができ、しかも伝送容量が数百Ｍｂｐｓの光伝送も可能となった。
一方、光ファイバの伝送損失は、波長１５５０ｎｍ付近で最も小さくなる。そのため、損失との関係では、１５５０ｎｍ帯域で光伝送が可能であることが好ましいことになる。
【０００４】
このような要求に応える光ファイバとして、波長１５５０ｎｍ付近に零分散波長を有する分散シフトファイバ（Ｄｉｓｐｅｒｓｉｏｎ　Ｓｈｉｆｔｅｄ　Ｆｉｂｅｒ：ＤＳＦ）が開発された。このＤＳＦは、その断面における屈折率分布のプロファイルが段階型になっているものである。このＤＳＦの開発により、現在では、波長１５５０ｎｍ付近において、伝送容量が数Ｇｂｐｓの光伝送も可能となった。
【０００５】
ところで、最近では、伝送容量の更なる増大を目的として、１本の光ファイバで複数波長の光信号を伝送する波長分割多重（Ｗａｖｅｌｅｎｇｔｈ　Ｄｉｖｉｓｉｏｎ　Ｍｕｌｔｉｐｌｅｘｉｎｇ：ＷＤＭ）伝送方式の研究が進められている。
このＷＤＭ伝送方式で用いる光ファイバには次のような特性が要求される。
まず、非線形現象の１つである例えば四光波混合（Ｆｏｕｒ　Ｗａｖｅ　Ｍｉｘｉｎｇ：ＦＷＭ）の発生を防止するために、使用波長帯域に零分散波長が存在しないという特性である。
【０００６】
このような要求に応える光ファイバとしては、使用波長帯域で零分散波長を持たないノンゼロ分散シフトファイバ（Ｎｏｎ−Ｚｅｒｏ　Ｄｉｓｐｅｒｓｉｏｎ　Ｓｈｉｆｔｅｄ　Ｆｉｂｅｒ：ＮＺＤＳＦ）が開発されている。そして、このＮＺＤＳＦを用いると、ＦＷＭは殆ど起こらないので、現在では、ＷＤＭ伝送方式における最適の光ファイバとして評価されている。
【０００７】
また、分散が大きいと信号波形の劣化が生ずるので、分散が小さいことも、ＷＤＭ伝送方式で用いる光ファイバにとっては重要な特性である。
更には、高パワーの導入時には、光ファイバでは例えば自己位相変調や相互位相変調のような他の非線形現象が起こりやすいので、それを抑制するために、モードフィール径（Ｍｏｄｅ　Ｆｉｅｌｄ　Ｄｉａｍｅｔｅｒ：ＭＦＤ）が大きいことも要求される。
【０００８】
なお、上記した分散とＭＦＤはトレードオフの関係にあり、例えば分散を小さくすると、信号波形の劣化は抑制されるが、他方ではＭＦＤが大きくなって光ファイバの曲げ損失は増大し、そのため、その光ファイバを用いてケーブルを組上げることが困難になる。
逆に、ＭＦＤを拡大して非線形現象の発生を抑制すると、その光ファイバの分散が大きくなってしまい、信号波形の劣化が引き起こされてくる。
【０００９】
このような分散とＭＦＤのトレードオフの関係については、ＳＭＦの波長１５５０ｎｍにおける分散が１５ｐｓ／ｎｍ／ｋｍ、ＭＦＤが１０μｍ程度であることに対し、ＤＳＦではそれらが０ｐｓ／ｎｍ／ｋｍ、８μｍ程度になっていることを１例としてあげることができる。
このため、分散とＭＦＤをどのようにバランスさせるかということは、光ファイバのプロファイルを設計する上で重要な問題である。
【００１０】
更に、ＷＤＭ伝送用光ファイバにおいては、分散のほかに、分散スロープなど他の特性を所望の値に維持しつつ、非線形現象の発生を抑制するためにＭＦＤを拡大できる屈折率分布プロファイルの開発が非常に重要になってくる。
【００１１】
【発明が解決しようとする課題】
このため、従来のＷＤＭ伝送用の光ファイバでは、その断面における屈折率分布のプロファイルが可成り複雑になっている。
例えば、特開２００１−３１１８４９号公報では、５〜１１ｐｓ／ｎｍ／ｋｍの分散と、波長２５０〜３７０ｎｍまでの分散と分散スロープとの比と、５０μｍ２以上の有効面積、すなわち約８μｍ以上のＭＦＤをもつＷＤＭ伝送用の光ファイバが開示されている。この光ファイバの場合、中心のセンタコアと、そのセンタコアの外側に円環形状で配置される第１サイドコアと、その第１サイドコアの外側に円環形状で配置される第２サイドコアとから成る３層構造でコアが構成され、前記第２サイドコアの外側にクラッドが配置された構造になっていて、前記センタコアの屈折率が最も高く、前記第１サイドコアの屈折率はクラッドのそれよりも低いという屈折率分布のプロファイルを有している。
【００１２】
このように複雑な屈折率分布のプロファイルをもつ光ファイバは、その製造が可成り難しく、それゆえ製造歩留まりがあまり高くないという問題がある。
また、このような光ファイバは、一般に曲げ損失が大きい。その多くのものは、例えば直径３２ｍｍで曲げたときの波長１５５０ｎｍにおける曲げ損失は５ｄＢ／ｍ程度の値になっている。したがって、このような光ファイバを用いてケーブルを組上げ、それを敷設すると、その光伝送路では損失が大きくなるという問題が生じてくる。
【００１３】
本発明は、ＷＤＭ伝送方式で用いる光ファイバにおける上記した問題を解決し、断面の屈折率分布プロファイルは簡素に設計されており、したがって製造も簡単であるにもかかわらず、ＷＤＭ伝送方式に用いて好適な光ファイバの提供を目的とする。
【００１４】
【課題を解決するための手段】
上記した目的を達成するために、本発明においては、波長１５５０ｎｍにおける分散が１０．０ｐｓ／ｎｍ／ｋｍ以上１５．０ｐｓ／ｎｍ／ｋｍ以下であり、かつ、モードフィールド径が８．０μｍ以上１０．０μｍ以下であることを特徴とする光ファイバが提供される。
【００１５】
そして、波長１５５０ｎｍにおける分散スロープが０．０５ｐｓ／ｎｍ２／ｋｍ以上０．０７ｐｓ／ｎｍ２／ｋｍ以下であることにより、広い波長領域でＷＤＭ伝送方式が可能な光ファイバになっていて、また、直径２０ｍｍで曲げたときの波長１５５０ｎｍにおける曲げ損失が１０ｄＢ以下であるので、ケーブル化時における側圧による損失の増大を防止できる光ファイバになっている。
【００１６】
また、本発明においては、上記した特性に加えて、波長１３００ｎｍにおける分散が−１０．０〜０ｐｓ／ｎｍ／ｋｍであり、かつ、モードフィールド径が７．０〜９．０μｍであることを特徴とする光ファイバが提供される。
この光ファイバは、１３００ｎｍ帯域での光伝送、とりわけＷＤＭ伝送方式に使用することができる。
【００１７】
また、本発明においては、上記した特性に加えて、波長１６２０ｎｍにおける分散が１３．０ｐｓ／ｎｍ／ｋｍ以上２０．０ｐｓ／ｎｍ／ｋｍ以下である光ファイバが提供される。この光ファイバは従来のＳＭＦに比べて分散が小さいので、Ｌバンド帯での光伝送が可能である。
また、本発明においては、上記した特性に加えて、１３７５〜１３９５ｎｍの波長帯域における損失が０．５ｄＢ／ｋｍ以下である光ファイバが提供される。この光ファイバはＳバンド帯におけるラマン増幅も可能にする。
【００１８】
そして、上記した特性を示す本発明の光ファイバは、その屈折率分布のプロファイルにおいて、クラッド領域より高屈折率である少なくとも１つのコア領域を有し、前記コア領域のうち、最も中心に位置する領域の、前記クラッド領域に対する比屈折率差が０．４％以上０．６％以下であることを特徴とする。
更に本発明においては、上記した光ファイバのいずれかを含む光伝送路に、１４００〜１６００ｎｍの波長帯域で負の分散と負の分散スロープとを有する分散補償ファイバが接続されていることを特徴とする光伝送システムが提供される。
【００１９】
【発明の実施の形態】
本発明の光ファイバは、ＷＤＭ伝送方式に用いることが開発目標になっている。そして、ＷＤＭ伝送方式に用いる光ファイバに関しては、前記したように、非線形現象の発現を防止するために大きなＭＦＤを有すること、信号波形の劣化を防ぐために波長分散は小さく、かつゼロではなく、また分散スロープは大きくないこと、そしてその光ファイバはケーブル化されかつ敷設されるのであるから、ケーブル化時や敷設時に光損失の増加を起こしづらいこと、などの特性が要求される。
【００２０】
上記した要求を満たすために、本発明者らは、開発目標の光ファイバに関しては以下のような特性目標を設定した。
（１）まず、ＷＤＭ伝送方式の実現にとっては、一般に考えられているように、波長１５５０ｎｍにおけるＭＦＤを最低でも８．０μｍにすることが用いる光ファイバにとっては必要である。
しかしながら、ＭＦＤを大きくしすぎると、光ファイバの曲げ損失が大きくなるので、波長１５５０ｎｍにおけるＭＦＤは最大でも１０．０μｍに規制されるべきである。
【００２１】
（２）次に分散に関しては、光信号が光ファイバ中を伝送される間に信号歪みは分散に応じて累積されていくので、長距離伝送に用いる光ファイバの場合ほど、その分散を小さくすることが必要になる。しかしながら、そのような光ファイバを短距離伝送に使用すると、それは過剰性能を示す場合もある。
また、１３００ｎｍ帯域で使用するＳＭＦを１５５０ｎｍ帯域で使用するときの事例が示すように、分散が大きい光ファイバであっても、必要に応じては、その伝送路に分散補償器を介装することにより長距離伝送も可能である。
【００２２】
このようなことから、光ファイバに対する分散の制約は、上記したＭＦＤによる制約に比べて大きいとはいえない。しかしながら、そうであるとはいっても、ＷＤＭ伝送方式で使用する光ファイバの分散は、１３００ｎｍ帯域で使用するＳＭＦの分散（約１５ｐｓ／ｎｍ／ｋｍ）よりも小さい値であることが好ましいことはいうまでもない。
【００２３】
（３）また、ＷＤＭ伝送方式で使用する光ファイバに関しては、直径２０ｍｍで曲げたときに、その曲げ損失を１０ｄＢ／ｍ以下にすることが必要である。好ましい曲げ損失は５ｄＢ／ｍ以下、更に好ましくは２ｄＢ／ｍ以下である。
（４）そして、以上設定した目標特性を、できるだけ単純な屈折率分布のプロファイルで実現すること、これが本発明における最後の設計目標である。
【００２４】
屈折率分布のプロファイルが単純な光ファイバは、製造が比較的容易であり、製造歩留まりも高く、したがって製造コストの低減も可能となるからである。
本発明者らは、このような観点から上記した目標特性を満たし、かつ形状が単純である屈折率分布のプロファイルに関して探索した。そして、図１と図２、図３で示したようなプロファイルが好適であることを見出した。
【００２５】
図１で示したプロファイル（Ａ）は、中心のコア領域１とその外側に円環形状に配置されたクラッド領域５を有している。そして、コア領域１のクラッド領域５に対する比屈折率差は後述するΔ１（％）になっている。
図２で示したプロファイル（Ｂ）は、中心のコア領域１とその外側に円環形状に配置された第１サイド領域２と更にその外側に円環形状に配置されたクラッド領域５を有している。そして、コア領域１のクラッド領域５に対する比屈折率差と、第１サイド領域２のクラッド領域５に対する比屈折率差は、それぞれ、Δ１（％）、Δ２（％）になっている。
【００２６】
図３で示したプロファイル（Ｃ）は、中心のコア領域１とその外側に円環形状に配置された第１サイド領域２と更にその外側に円環形状に配置されたクラッド領域５を有している。そして、コア領域１のクラッド領域５に対する比屈折率差と、第１サイド領域２のクラッド領域５に対する比屈折率差は、それぞれ、Δ１（％）、Δ２（％）になっている。
図３のプロファイル（Ｃ）と図２のプロファイル（Ｂ）の相違は、Δ２（％）が負であるか正であるかの違いである。
【００２７】
これらのプロファイルにおいて、上記したΔ１値は０．４％以上０．６％以下に設定されていることが好ましい。一般に、このΔ１値を大きくすると、分散は小さくなり、またＭＦＤも小さくなり、逆にΔ１値を小さくすると、ＭＦＤは大きくなるが分散も大きくなり、曲げ損失も大きくなる。
ＭＦＤと分散に関する前記した設計目標を同時に満たすためには、Δ１値は上記範囲内にあることが好ましい。
【００２８】
Δ１値を上記範囲内に設定した場合、目標とする光ファイバにおいては、そのＭＦＤを８．０μｍ以上に設定するという要求とのバランス上、分散は１０．０ｐｓ／ｎｍ／ｋｍ以上１５．０ｐｓ／ｎｍ／ｋｍ以下に設定される。
この分散値は、１３００ｎｍ帯域に零分散波長をもつＳＭＦに比べて小さい値であるため、本発明の光ファイバは上記した１３００ｎｍ零分散ＳＭＦを用いた場合よりも長距離伝送を可能にする。勿論、必要に応じては、分散補償器を使用することにより、本発明の光ファイバを長距離伝送に使用できることは当然である。
【００２９】
また、直径２０ｍｍで曲げたときの曲げ損失を１０ｄＢ／ｍ以下にするためには、本発明の光ファイバにおけるＭＦＤの上限は１０．０μｍに制限されることが必要になる。
したがって、目標とする光ファイバの波長１５５０ｎｍにおけるＭＦＤは８．０μｍ以上１０．０μｍ以下に設定される。そして、ＭＦＤが８．０μｍ以上１０．０μｍ以下に設定された場合、その光ファイバの分散スロープは他の特性とのバランスを考慮して０．０５ｐｓ／ｎｍ２／ｋｍ以上０．０７ｐｓ／ｎｍ２／ｋｍ以下に設定される。
【００３０】
また、本発明の光ファイバは、その零分散波長が１３００ｎｍ付近またはそれ以下にあるので、波長１３００ｎｍにおける分散は−１０．０ｐｓ／ｎｍ／ｋｍ以上０ｐｓ／ｎｍ／ｋｍ以下になっている。この値は、前記したＮＺＤＳＦに比べて小さい値であるため、本発明の光ファイバは１３００ｎｍ帯域の信号光の伝送路として使用することができる。その場合、本発明の光ファイバのＭＦＤは、波長１３００ｎｍにおいて７．０μｍ以上９．０μｍ以下に設定される。なお、分散の好ましい範囲は、ＳＭＦと同等の−２．０ｐｓ／ｎｍ／ｋｍ以上０ｐｓ／ｎｍ／ｋｍ以下である。
【００３１】
また、本発明の光ファイバは、波長１６２０ｎｍにおける分散が１３．０ｐｓ／ｎｍ／ｋｍ以上２０．０ｐｓ／ｎｍ／ｋｍ以下になっている。この値は、上記した１３００ｎｍ零分散ＳＭＦに比べて小さいので、適切な分散補償器と組み合わせて使用すれば、本発明の光ファイバは、Ｌバンド伝送に使用することができる。
更に、本発明の光ファイバは、カットオフ波長が１５００ｎｍ以下になっている。したがって、Ｃバンド伝送時にはシングルモード動作をすることができる。なお、１３００ｎｍ帯域での使用を考慮してカットオフ波長は１３００ｎｍ以下となるように設計されていることが好ましい。
【００３２】
以上の特性は、図１と図２、図３で示した屈折率分布のプロファイルにおいて、基本的には、中心のコア領域１の形状とその径ａで規定されてくる。
したがって、本発明の光ファイバにおける屈折率分布のプロファイルは、図１と図２、図３で示したものに限定されるわけではなく、上記した特性を発現するものであれば、例えば図４で示したように、中心のコア領域１（比屈折率差：Δ１）とクラッド領域５の間に、円環形状の第１サイドコア２（比屈折率差：Δ２）、円環形状の第２サイドコア３（比屈折率差：Δ３）、および円環形状の第３サイドコア（比屈折率差：Δ４）がこの順序で配置されているプロファイルであってもよい。
【００３３】
しかしながら、プロファイル構造が簡単であり、したがってその製造も容易で製造歩留まりも高いという点で、図１と図２、図３で示したプロファイルであることが好ましい。
ここで、プロファイル（Ａ）、プロファイル（Ｂ）、プロファイル（Ｃ）における中心のコア領域１の径（ａ）は、径（ａ）が大きくなるとカットオフ波長が大きくなること、径（ａ）が小さくなると曲げ損失が大きくなることの点を考慮して５．０μｍ以上１５．０μｍ以下の範囲に設定することが好ましい。
なお、ここでいう径（ａ）とは、コア領域１の傾きが最も大きい箇所で接線を引き、その接線がクラッド領域と交叉したときの幅として定義される。
【００３４】
また、コア領域１における屈折率分布パラメータ（α）は、２以上で無限大より小さい値に設定することが好ましい。
α値を２より小さくすると、ＭＦＤと分散スロープを上記した値に両立させることができず、波長１３００ｎｍ、波長１５５０ｎｍ、波長１６２０ｎｍにおける各分散を上記した値にすることができないからである。また、αが小さい場合は、αの変動によって特性が大きく変動してしまう。このため、αは４以上であることが好ましい。
【００３５】
αが無限大の場合、すなわち、コア領域１の形状が完全に矩形になっていると、αが有限の値である場合に比べて、ＭＦＤが小さくなる傾向を示し、分散とＭＦＤの両方に関する上記した特性を満たさなくなることがある。
なお、例えばプロファイル（Ａ）の場合、図４で示したように、コア領域１とクラッド領域５の界面ではコア領域の裾引きを生ずることがある。その場合、コア領域１の裾引きの大きさは、裾がクラッド領域５と同じ屈折率になる箇所の径をｃとしたとき、ｃ／ａ値が１．０５より大きくなっていることが好ましい。
【００３６】
ｃ／ａ値が１．０５より小さいような裾引きの場合には、コア領域１とクラッド領域５の粘性変化が大きくなり、線引き時に構造欠陥が生じやすくなって伝送損失が増大することもあるからである。
本発明の光ファイバは、例えばＶＡＤ法やＭＣＶＤ法で光ファイバ母材を製造し、それを透明ガラス化したのち線引きして製造することができる。
【００３７】
とくに、ＶＡＤ法で光ファイバ母材を製造し、それを含ハロゲンガス雰囲気で透明ガラス化すると、得られた光ファイバは、波長１３９０ｎｍにおけるＯＨ吸収ピークが小さくなりる。具体的には、波長１３９０ｎｍにおける損失が０．５ｄＢ／ｋｍ以下の光ファイバになる。このような光ファイバは、Ｓバンド帯でのラマン増幅に用いることができる。
【００３８】
更に、ＯＨ吸収ピークの高さが０．１ｄＢ／ｋｍ以下の場合は、１３９０ｎｍ付近の波長帯も伝送に使用することができるのでより好ましい。
また、本発明の光ファイバは１４００〜１６００ｎｍの波長帯域で正の波長分散スロープを有しているが、この光ファイバで構築した光伝送路に、負の分散スロープを有する分散補償器を接続することにより、分散補償線路を構成することができる。
【００３９】
【実施例】
実施例１〜５，比較例１〜３
図１で示したプロファイル（Ａ）を有する各種の光ファイバを製造し、その特性を調査した。プロファイル（Ａ）の構造パラメータと特性は一括して表１に示した。
【００４０】
【表１】
2004077663.tif 000003
【００４１】
表１から明らかなように、実施例１〜５の光ファイバは、いずれも、ＷＤＭ伝送方式で使用可能な特性を備えているが、比較例１〜３の光ファイバは下記の点で実施例に比べて劣っている。
Δ１値が大きい比較例１は、カットオフ波長が１５７４ｎｍと大きく、分散も大きいのでＣバンド帯でシングルモード動作をせず、ＷＤＭ伝送方式には適さない。Δ１値が小さい比較例２は、実施例と同じような分散や分散スロープを有しているとはいえ、曲げ損失が非常に大きいのでケーブル化には適さない。そしてα値が２未満である比較例３の場合は、波長１５５０ｎｍにおける分散が大きく、信号劣化が激しくなる。
【００４２】
実施例６〜９，比較例４，５
図２、図３で示したプロファイル（Ｂ）およびプロファイル（Ｃ）を有する各種の光ファイバを製造し、その特性を調査した。プロファイル（Ｂ）およびプロファイル（Ｃ）の構造パラメータと特性は一括して表２に示した。
【００４３】
【表２】
2004077663.tif 000004
【００４４】
表２から明らかなように、実施例６〜８の光ファイバは、いずれも、ＷＤＭ伝送方式で使用可能な特性を備えているが、比較例４，５の光ファイバは下記の点で実施例に比べて劣っている。
α値を∞にした比較例４は、ＭＦＤが８．０μｍよりも小さくなっていてＷＤＭ伝送方式に適さない。また、α値を２未満にした比較例５は、波長１５５０ｎｍと波長１６２０ｎｍにおける分散がいずれも大きくなっており、カットオフ波長も大きく、使用波長の帯域でシングルモード動作をしない光ファイバになっている。
【００４５】
実施例１０
実施例１の光ファイバと、図６で示した分散特性を有する分散補償光ファイバを接続した。後者の長さは、前者の長さの１／６．５とした。
そしてこの接続線路の分散特性を図７に示した。図７から明らかなように、１５００〜１６００ｎｍの波長帯域で、分散は−１〜０ｐｓ／ｎｍ／ｋｍになっていて、形成された接続線路では分散が良好に補償されている。
【００４６】
【発明の効果】
以上の説明で明らかなように、本発明の光ファイバは、広い波長帯域でＷＤＭ伝送方式が可能な特性を備えている。
そして、その屈折率分布プロファイルは図１と図２、図３で示したように非常に簡素なものであるため、製造が容易で、製造歩留まりも良好であり、したがって製造コストも低廉である。
【００４７】
本発明の光ファイバを用いることにより、安価にＷＤＭ伝送方式システムの構築が可能となるので、その工業的価値は大である。
【図面の簡単な説明】
【図１】本発明の光ファイバの屈折率分布プロファイルの一例を示す概略図である。
【図２】本発明の光ファイバの屈折率分布プロファイルの別の例を示す概略図である。
【図３】本発明の光ファイバの屈折率分布プロファイルの更に別の例を示す概略図である。
【図４】本発明が比較例とする屈折率分布プロファイルの一例を示す概略図である。
【図５】コア領域の裾引きを示す概略図である。
【図６】負の分散スロープをもつ分散補償ファイバの分散特性図である。
【図７】本発明の光ファイバと図６の分散補償ファイバを接続した線路の分散特性図である。
【符号の説明】
１　中心のコア領域
２　第１サイドコア
３　第２サイドコア
４　第３サイドコア
５　クラッド領域
【図１】
2004077663.tif 000005
【図２】
2004077663.tif 000006
【図３】
2004077663.tif 000007
【図４】
2004077663.tif 000008
【図５】
2004077663.tif 000009
【図６】
2004077663.tif 000010
【図７】
2004077663.tif 000011